(57)【特許請求の範囲】
【請求項１】
放送波を受信する受信手段と、
データを記憶するメモリと、
前記受信手段で受信したデータを前記メモリに記録する記録制御手段と、
前記記録制御手段による前記メモリへのデータ記録の成功率を求める記録状態検出手段と、
前記記録制御手段によるデータ記録の記録時間と前記記録状態検出手段により検出された成功率とを対応付けて報知する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする携帯端末。
【請求項２】
放送波を受信する受信手段と、
データを記憶するメモリと、
前記受信手段で受信したデータを前記メモリに記録する記録制御手段と、
前記記録制御手段による前記メモリへのデータ記録が成功したか否かを判別し、該判別に基づいて所定期間のデータ記録の成功率を求める記録状態検出手段と、
前記記録状態検出手段により検出された現在のデータ記録の成否と、所定期間内のデータ記録の成功率とを同時に報知する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする携帯端末。
【請求項３】
放送波を受信する受信手段と、
データを記憶するメモリと、
前記受信手段で受信したデータを前記メモリに記録する記録制御手段と、
前記記録制御手段による前記メモリへのデータ記録の成功率を求める記録状態検出手段と、
前記受信手段で受信したデータが示す動画の静止画を生成する静止画生成手段と、
前記静止画生成手段が生成した静止画と前記記録状態検出手段が求めた成功率とを表示する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする携帯端末。
【請求項４】
請求項１から３の何れか１項に記載の携帯端末において、
前記報知手段は、この携帯端末の状態に応じて、記録状態の報知方法を決定し、決定した方法で報知を行う、
ことを特徴とする携帯端末。
【請求項５】
請求項４に記載の携帯端末において、
前記携帯端末は、開時に視認可能な第１の表示部と閉時に視認可能な第２の表示部を備える開閉型の構成を有し、
前記報知手段は、開状態においては、第１の表示部に成功率を表示し、閉状態においては第２の表示部に成功率を表示する、
ことを特徴とする携帯端末。
【請求項６】
請求項１から５の何れか１項に記載の携帯端末において、
前記記録制御手段は、前記記録状態検出手段で検出した成功率を示す記録状態情報と受信データとを関連付けて前記メモリに保存し、
前記メモリに記録されている受信データを再生すると共に再生された受信データに対応付けて記録されている記録状態情報を出力する再生手段を備える、
ことを特徴とする携帯端末。
【請求項７】
請求項１から６の何れか１項に記載の携帯端末において、
前記記録制御手段は、前記記録状態検出手段で検出した成功率を示す記録状態情報と受信データとを関連付けて前記メモリに保存し、
前記メモリに記録されている受信データを再生する再生手段をさらに備え、
該再生手段は、前記メモリに記録されている前記記録状態情報に基づいて、前記メモリに記録されている受信データのうち、成功率が基準レベル以下の部分の再生を飛ばす処理を行う、
ことを特徴とする携帯端末。
【請求項８】
コンピュータを、
データを記憶するメモリ、
受信したデータを前記メモリに記録する記録制御手段、
前記記録制御手段による前記メモリへのデータ記録の成功率を求める記録状態検出手段、
前記記録制御手段によるデータ記録の記録時間と前記記録状態検出手段により検出された成功率とを対応付けて報知する報知手段、
として機能させ、
前記データは音声データと映像データとから構成され、
前記記録状態検出手段は、音声データのデータ記録の成功率と映像データのデータ記録の成功率とをそれぞれ判断する、
ことを特徴とするコンピュータプログラム。
【請求項９】
コンピュータを、
データを記憶するメモリと、
受信したデータを前記メモリに記録する記録制御手段と、
前記記録制御手段による前記メモリへのデータ記録が成功したか否かを判別し、該判別に基づいて所定期間のデータ記録の成功率を求める記録状態検出手段と、
前記記録状態検出手段により検出された現在のデータ記録の成否と、所定期間内のデータ記録の成功率とを同時に報知する報知手段と、
として機能させ、
前記データは音声データと映像データとから構成され、
前記記録状態検出手段は、音声データのデータ記録の成功率と映像データのデータ記録の成功率とをそれぞれ判断する、
ことを特徴とするコンピュータプログラム。
【請求項１０】
コンピュータを、
データを記憶するメモリと、
受信した放送波のデータを前記メモリに記録する記録制御手段と、
前記記録制御手段による前記メモリへのデータ記録の成功率を求める記録状態検出手段と、
前記受信手段で受信したデータが示す動画の静止画を生成する静止画生成手段と、
前記静止画生成手段が生成した静止画と前記記録状態検出手段が求めた成功率とを表示する報知手段と、
として機能させ、
前記データは音声データと映像データとから構成され、
前記記録状態検出手段は、音声データのデータ記録の成功率と映像データのデータ記録の成功率とをそれぞれ判断する、
ことを特徴とするコンピュータプログラム。
【発明の詳細な説明】
【技術分野】
【０００１】
本発明は、放送番組を受信して記録する機能を有する携帯端末に関し、特に、記録品質又は記録状態を報知する機能を備える携帯端末及びコンピュータプログラムに関する。
【背景技術】
【０００２】
携帯電話等の携帯端末で地上波デジタル放送を受信表示できる技術が開発されており、さらに放送番組を録画できるようになってきた。移動する携帯端末で放送番組を受信録画する場合、場所によっては受信状態が悪化し、適正品質の画像を表示できなかったり、録画できない場所がある。このような問題を背景に、携帯端末での録画中である旨や録画予約情報をユーザーに通知する技術が提案されている（例えば、特許文献１参照）。
【特許文献１】特開２００５−３４１４８１号公報
【発明の開示】
【発明が解決しようとする課題】
【０００３】
特許文献１に開示されている技術では、現在録画中である旨が通知される。このため、今までや過去の録画状態や録画している内容などを通知することはできず、今までの録画がどのくらいうまくいっているのかユーザーは把握できない。さらに、録画している番組が何であるかを、一目で確認するには、録画している放送番組を実際に表示せねばならず、携帯電話などでは端末を開いたりテレビ番組を表示するアプリケーションを起動したりする手間がかかる。
【０００４】
また、録画したデータを再生する際には、再生するデータの録画状態を知らせることができないため、再生時に再生状態が急に悪くなっても録画データ自体に問題があるのかわからない。また、録画状態が悪いところを飛ばす処理をユーザーが行う場合に、どこまで飛ばせばよいのかわからないため、そのまま状態が悪いところを見るか適当に飛ばすかをしなくてはならず、使い勝手が悪いという問題もある。
【０００５】
本発明は、上記課題に注目してなされたものであって、記録状態を報知することができる携帯端末及びコンピュータプログラムを提供することを目的とする。
また、本発明は、使い勝手がよい携帯端末及びコンピュータプログラムを提供することを他の目的とする。
【課題を解決するための手段】
【０００６】
上記目的を達成するため、この発明の第１の観点に係る携帯端末は、
放送波を受信する受信手段と、
データを記憶するメモリと、
前記受信手段で受信したデータを前記メモリに記録する記録制御手段と、
前記記録制御手段による前記メモリへのデータ記録の成功率を求める記録状態検出手段と、
前記記録制御手段によるデータ記録の記録時間と前記記録状態検出手段により検出された成功率とを対応付けて報知する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする。
【０００７】
上記目的を達成するため、この発明の第２の観点に係る携帯端末は、
放送波を受信する受信手段と、
データを記憶するメモリと、
前記受信手段で受信したデータを前記メモリに記録する記録制御手段と、
前記記録制御手段による前記メモリへのデータ記録が成功したか否かを判別し、該判別に基づいて所定期間のデータ記録の成功率を求める記録状態検出手段と、
前記記録状態検出手段により検出された現在のデータ記録の成否と、所定期間内のデータ記録の成功率とを同時に報知する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする。
【０００８】
上記目的を達成するため、この発明の第３の観点に係る携帯端末は、
放送波を受信する受信手段と、
データを記憶するメモリと、
前記受信手段で受信したデータを前記メモリに記録する記録制御手段と、
前記記録制御手段による前記メモリへのデータ記録の成功率を求める記録状態検出手段と、
前記受信手段で受信したデータが示す動画の静止画を生成する静止画生成手段と、
前記静止画生成手段が生成した静止画と前記記録状態検出手段が求めた成功率とを表示する報知手段と、
を備え、
前記データは音声データと映像データとから構成され、
前記記録状態検出手段は、音声データのデータ記録の成功率と映像データのデータ記録の成功率とをそれぞれ判断する、
ことを特徴とする。
【０００９】
前記報知手段は、例えば、この携帯端末の状態に応じて、記録状態の報知方法を決定し、決定した方法で報知を行う。この場合、前記携帯端末は、開時に視認可能な第１の表示部と閉時に視認可能な第２の表示部を備える開閉型の構成を有し、前記報知手段は、開状態においては、第１の表示部に成功率を表示し、閉状態においては第２の表示部に成功率を表示する。
【００１１】
例えば、前記記録制御手段は、前記記録状態検出手段で検出した成功率を示す記録状態情報と受信データとを関連付けて前記メモリに保存し、前記メモリに記録されている受信データを再生すると共に再生された受信データに対応付けて記録されている記録状態情報を出力する再生手段を備える。
【００１２】
例えば、前記記録制御手段は、前記記録状態検出手段で検出した成功率を示す記録状態情報と受信データとを関連付けて前記メモリに保存し、前記メモリに記録されている受信データを再生する再生手段をさらに備え、該再生手段は、前記メモリに記録されている前記記録状態情報に基づいて、前記メモリに記録されている受信データのうち、成功率が基準レベル以下の部分の再生を飛ばす処理を行う。
【００１３】
コンピュータを上述の携帯端末として機能させるコンピュータプログラムを提供してもよい。
【発明の効果】
【００１９】
本発明によれば、メモリに記録している放送の記録の成功率、換言すれば、放送の記録品質を報知することができる。従って、ユーザーは、例えば、録画を継続するか否かを判断することができる。
【発明を実施するための最良の形態】
【００２０】
以下、本発明を実施するための最良の形態を図面により詳細に説明する。
【００２１】
（実施形態１）
本実施形態の携帯端末１００は、携帯電話、ＰＤＡ（Ｐｅｒｓｏｎａｌ  Ｄｉｇｉｔａｌ  Ａｓｓｉｓｔａｎｔｓ）、携帯（音楽）プレーヤなどの携帯端末装置から構成され、図１に示すように、アンテナ１、操作部２、受信した信号よりデータを取り出す受信部３、放送番組データを処理してメモリ部６に録画したり表示部５に出力したりする制御部４、放送番組やユーザーへ通知する情報を表示する表示部５、録画データを保存するメモリ部６を備えている。
【００２２】
アンテナ１は放送電波を受信したり、外部の基地局や他の無線機器と電波の送受信を行う装置である。
【００２３】
操作部２は携帯電話などのキー部分やＰＤＡなどのキーボード、タッチパネル、音声で命令を入力する（ボイスコマンド）装置などから構成され、データやユーザーの意向（命令）を制御部４に伝える部分である。
【００２４】
受信部３は、受信チューナ等から構成されアンテナ１を介して受信対象周波数の無線信号に同調して、これを受信し、受信信号に含まれるパケットを復号し、さらに、各パケットから受信データを取り出す処理を行う。
【００２５】
制御部４は、マイクロプロセッサ等から構成され、機能的に、データ処理部４１、出力処理部４２、録画処理部４３を備える。さらに、データ処理部４１は、静止画作成部４１２及び録画状態検出部４１１備える。
【００２６】
表示部５は、メインの表示部５１、サブの表示部５２、ＬＥＤランプ５３を備え、受信した放送番組、録画しておいた放送番組、ユーザーへの通知・報知情報等を表示する装置である。
【００２７】
メモリ部６は、フラッシュメモリ、メモリＩＣ（Ｉｎｔｅｇｒａｔｅｄ  Ｃｉｒｃｕｉｔ）、ハードディスク等から構成され、データを記憶する装置である。メモリ部６は、着脱可能なメモリカードやコネクタを介して接続された外部接続された記憶装置等から構成されても良い。
【００２８】
携帯端末１００は、図２（ａ）、（ｂ）に示すように、第１の筐体２０２と第２の筐体２０３と、両筐体を接続するヒンジ部２０１とを備え、ヒンジ部２０１を中心に、図２（ａ）に示す閉じた（折りたたんだ）状態と、図２（ｂ）に示す開いた状態に切り替え可能に構成されている。
【００２９】
ヒンジ部２０１を回転軸として、第１の筐体２０２と第２の筐体２０３とは回転可能に構成されており、ヒンジ部２０１を中心として第１の筐体２０２と第２の筐体２０３とが折り重なるようにして携帯端末１００を折りたたむことができる。
【００３０】
携帯端末１００を折りたたんだ際に、図示せぬセンサー（接触センサ、磁気センサ等）により、第１の筐体２０２と第２の筐体２０３との向かい合う面が接したことを感知し、検知信号を制御部４に出力する。制御部４は、この検知信号により、筐体が折りたたまれているか否かを判別することができる。
【００３１】
また、第１の筐体２０２には、アンテナ１、メイン表示部５１、サブ表示部５２、ランプ（ＬＥＤ）５３等が配置されており、第２の筐体２０３には、入力部２を構成するキー（ボタン）等が配置されている。
【００３２】
図３に、携帯端末１００の特徴的な動作の概要を示す。
例えば、前述の特許文献１に開示された携帯端末の録画状態通知技術では、録画中であるか否かをランプ５３の点灯で表示し、録画中に消えていれば、今録画できない状況にあると通知している。この方法だと、現在の状況は判るが、今までの録画状態がどうであったかを知ることができない。
【００３３】
一方、本実施形態の携帯端末１００は、録画時の録画成功率を計算し、図３（ａ）に示すように、一定期間の録画成功率が８０％以上の場合ランプ５３を緑色で点灯させ、５０〜７９％の場合はランプ５３を黄色で点灯させ、５０％未満の場合はランプ５３を赤色で点灯させる、というようにランプ５３の点灯色で録画成功率を通知する。また、録画できない状況にあることをランプ５３を点滅させることで通知する制御を行う。このような表示・報知により、現在と過去の両方の録画状態をユーザーに通知する。
【００３４】
また、メインの表示部５１やサブの表示部５２への表示による通知では、トータルや直近の録画成功率である録画状態の通知を図３（ｉ）、（ｉｉ）のように判りやすくバー表示させる。図３（ｉ）と（ｉｉ）の例は、横軸が時間の経過を表す。図３（ｉｉ）では、録画成功率が８０％以上であったタイミングは「緑」、５０％〜７９％であったタイミングは「黄」、５０％未満であったタイミングは「赤」で表している。一方、図３（ｉ）では、録画成功率が８０％以上であれば、録画ＯＫ、８０％未満であれば、録画ＮＧ（失敗）と表示している。このバー表示により、時間軸上のおおよそのタイミングと録画成功率のおおよその関係を把握することができる。
【００３５】
さらに、録画している番組の属性情報（番組名、チャンネル等）、実際に録画している画像やその画像を取得した時刻、等を同時に表示部５１、５２等に表示する。従って、ユーザーは、一目して録画成功率を認識できる。さらに、このメイン表示部５１やサブ表示部５２での録画状態の表示を一定期間毎に行い、壁紙にしたり壁紙に貼り付けたりすることで、常に録画状態通知を行う場合と比較して消費電力の削減が図れる。
【００３６】
また、携帯端末１００は、その状態（開閉状態等）によって録画状態の通知方法を切替える。例えば、携帯端末１００で、携帯端末１００を閉じていたり、電子メールの作成を行っている場合等のメイン表示部５１を使用している場合には、録画状態通知は図２（ａ）に示すように背面のサブ表示部５２で行い、携帯端末１００を開いた場合には、図２（ｂ）に示すようにメイン表示部５１で行う。
【００３７】
さらに、録画時の録画成功率等の録画状態を録画ファイルとともに保存しておき、再生時にファイル状況として図３（ｉｉ）のように表示することで、録画ファイルの録画状態をユーザーに知らせることができる。また、再生時には、録画状態の悪いところを飛ばすように再生処理を行って、録画状態の悪いところを飛ばすユーザーの手間を省くことができる。
【００３８】
次に、上記構成の携帯端末１００の動作、特に、制御部４の動作を、図４のフローチャートを参照しつつ説明する。
【００３９】
ユーザーは、操作部２より、テレビ放送の受信チャネル等を指示し、その受信・再生と録画を指示する。この指示に応答して、制御部４は、受信部３を起動すると共に受信チャネル等を指定する。
【００４０】
受信部３は、受信チャネルに対応する周波数に同調して、これを受信する。以後、受信部３は、受信した信号を復調して送信パケットを復号し、さらに、パケットを開いて、放送データを再生し、データ処理部４１に供給する。
【００４１】
一方、制御部４は、操作部２からの録画の指示に応答して、図４のフローチャートに示す録画処理を開始する（ステップＳ１０１）。
【００４２】
処理を開始すると、制御部４は、まず、受信部３から供給されているデータ（映像データ及び音声データ）を、録画処理部４３により、メモリ部６に保存する形式に変換し、メモリ部６へ保存する処理（録画処理）を開始する（ステップＳ１０２）。このとき、データ処理部４１の録画状態検出部４１１において、録画の成功率の検出（算定）も開始する（ステップＳ１０３）。
【００４３】
録画状態検出部４１１における録画成功率は、録画開始からのトータルの録画成功率でも良いし、過去の所定タイミングでの一定時間内の録画成功率でも良いし、直近の一定期間内の録画成功率、或いはこれらの組み合わせでも良い。なお、録画の成功率を示す指標としては、音声データの録画成功率や映像データの録画成功率など、様々なものが考えられる。これらの点については、後述する。
【００４４】
制御部４は、録画停止の命令が例えば操作部２から入力されれば、この指示を検出し（ステップＳ１０４；Ｙｅｓ）、録画や成功率検出の停止の処理を行い（ステップＳ１０５）、録画を終了する（ステップＳ１０６）。
【００４５】
制御部４は、録画状態を表示するタイミング（例えば、周期的、何からの契機の成立）になると、その旨を検出し（ステップＳ１０７；Ｙｅｓ）、録画状態検出部４１１で録画成功率を検出する（ステップＳ１０８）。
【００４６】
データ処理部４１の静止画作成部４１２は、録画成功率及び表示する情報を作成し（ステップＳ１０９）、出力処理部４２を経由して表示部５に表示する（ステップＳ１１０）。
【００４７】
例えば、今までのトータル録画成功率を、表示部５のＬＥＤの光などで通知する場合は、図３（ａ）に例示するランプ５３による表示のように、録画成功率が８０％以上の場合は緑色、５０〜７９％の場合は黄色、５０％未満の場合は赤色で点灯させる。ユーザーはこの色で今までの録画状態を知ることができ、例えば、あまりに録画状態が悪い場合は、途中で録画中止や録画場所の移動を行うなどの判断が可能である。
【００４８】
制御部４は、メモリ部６の空き容量が小さいというような事情で録画できない状態であれば、出力処理部４２を制御してランプ５３を点滅させることで、現在の録画状態（録画できないという状態）もユーザーに通知することができる。ユーザーはランプ５３の点灯色で今までの録画状態を確認でき、ランプ５３の点滅で現在の録画状態を知ることができる。
【００４９】
また、制御部４は、このステップＳ１０９で、録画している画像の静止画を静止画作成部４１２で作成し、前述の録画成功率とともに表示部５に表示させる。より詳細に説明すると、データ処理部４１は一定時間毎に受信した放送データをデコードし、表示部５のメイン表示部５１又はサブ表示部５２に表示可能な静止画（サムネイル画像）を静止画作成部４１２で作成する。制御部４はこの静止画作成部４１２で作成した放送画像の静止画と、録画状態検出部４１１で検出した録画成功率を出力処理部４２で合成し、図３（ａ）、（ｂ）に例示したように表示部５のメイン表示部５１又はサブ表示部５２に所謂壁紙のようにして表示する。これにより、ユーザーは、録画している番組と今までの録画状態を一目で確認することができる。
【００５０】
静止画作成部４１２は、作成する静止画内に、その画像の取得時刻や、受信データに含まれている番組データ（チャンネル番号、番組名、番組ジャンル、番組開始後の経過時間）なども含める。これにより、ユーザーは、録画している番組自体や、その静止画がどの時刻の画像であるか等を特定できる。
【００５１】
その後、フローはステップＳ１０４にリターンし、上述の処理を繰り返し、メモリ部６に画像データ及び音声データを記録しながら、所定のタイミングで、録画成功率を求めて、それを報知する。
【００５２】
操作部２より録画終了の指示が入力されたり、録画時間が経過したような場合には、ステップＳ１０４でＹｅｓと判別され、ステップＳ１０５を経て、録画処理が終了する。
【００５３】
次に、録画の成功率を検出する方法について、より具体的に説明する。
【００５４】
まず、受信部３が受信するデータがパケット形式のデータであるとする。この場合、図５に示すように、送信側である放送局は、各パケットに番号（パケット番号）をつけて送信する。
【００５５】
制御部４は、受信部３を介してパケットを受信すると、パケット番号をチェックし、パケット番号順にパケットを並べ、送信データと同一のデータを復号する。例えば、図５の受信側に示すように、２番のパケットが電波状況の悪化などで受信できない場合、携帯端末１００の制御部４は、パケット番号「２」が抜けた時点で、データが欠落したと判断できる。
【００５６】
この場合、録画成功率は、受信したパケットデータの割合で表すことができる。図５の例では、４パケット中１パケットが欠落しているので、３／４＝０．７５で７５％の録画成功率であると検出される。
【００５７】
従って、例えば、録画成功率を録画開始からのトータルの録画成功率とする場合には、録画成功率Ｓ％＝（録画開始からのトータルの受信パケット数／録画開始からのトータルのパケット数）×１００となる。なお、受信パケット数として、正常に受信しデータを復号できた正常受信パケットのみの数としてもよい。また、ＥＣＣ（Error Check Code）等により、データを修正した後に、正常に復号できたパケットについては、正常受信パケットに含めても良い。
【００５８】
また、過去の所定タイミングでの一定時間内の録画成功率とする場合には、録画成功率Ｓ％＝（過去の所定タイミングでの一定時間内の受信パケット数／過去の所定タイミングでの一定時間内での総パケット数）×１００、となる。
【００５９】
同様に、直近の一定時間（例えば、１〜５分）内の録画成功率とする場合には、録画成功率Ｓ％＝（直近の一定時間内の受信パケット数／直近の一定時間内での総パケット数）×１００、となる。
【００６０】
また、受信部３を介して制御部４が、単位時間に受信するデータ量（ビットレート）が一定である場合は、録画開始から録画処理したデータ量はタイマー等を使用して判別することが可能である。従って、制御部４は、録画開始からの処理すべきデータ量に対する実際に処理したデータ量で、録画成功率を算出（検出）することができる。例を挙げると、単位時間（例えば１秒）に１００バイトのデータを送信するシステムで、制御部４が、単位時間に８０バイトしか受信処理できなかった場合は、８０％（＝８０／１００×１００）の録画成功率と判断できる。
【００６１】
なお、以上の例で示した「録画成功率」は、厳格な意味では、録画に成功したデータの割合ではなく、受信に成功した割合であるが、受信に成功したデータが失われることはほとんどないため、録画成功率と等価である。
【００６２】
また、録画成功率を正確に算出しなくても、録画状態の良し悪しを判断できる指標を生成してユーザーに通知してもよい。
【００６３】
例えば、データの受信の有無を継続的にチェックし、図６（ａ）に示すように、単位時間内にデータが受信できなかった期間があれば録画ＮＧ（失敗）と判断し、図６（ｂ）に示すように、録画開始から現在まで（又は、その記録コンテンツの）トータルの録画成功率のバー表示では図のように録画ＮＧと表示したりできる。単位時間内に受信データが有る時間／無い時間を検出して成功率（＝受信データが有る時間／単位時間×１００）を計算し、録画トータルのバー表示に録画ＯＫ／ＮＧではなく前述の図３（ii）に示すように録画成功率を色で表示しても良い。
【００６４】
なお、現在から遡った一定期間の成功率を検出する場合には、その遡った一定期間のパケットやデータの量をタイマーやカウンタを使用して更新しつつカウントしておけばよい。また、過去の一定期間の録画成功率を検出する場合も、タイマーとカウンタを使用し、一定期間毎に録画処理すべきパケットやデータの量と実際に処理したパケットやデータの量を更新しつつ計算して、その都度録画成功率を出し、記憶させておけばよい。
【００６５】
（実施形態２）
一定期間の録画成功率を検出する場合、一定期間をユーザーの設定で決めても良い。
例えば、図７（ａ）に示すように、制御部４にユーザー設定部４４を設け、操作部２を操作して、図７（ｂ）に示すように録画成功率を検出・通知する一定時間間隔をユーザーが入力できるようにし、入力されたユーザーの一定時間の設定をユーザー設定部４４に保持しておく。
【００６６】
制御部４は、ユーザー設定部４４に登録されている設定期間毎の録画成功率や設定期間遡った録画成功率を検出する。ユーザーは、細かく録画成功率をチェックしたい場合は一定期間を短く設定すれば良い。一方、録画成功率をチェックする期間が長くても良い場合には一定期間を長く設定する。こうすれば、通知の回数を減らすことができ、頻繁に通知する場合と比較して、消費電力を低減することができる。この様にユーザー設定を可能とすることで、ユーザーの希望に合った録画成功率や録画状態の通知が可能となる。
【００６７】
また、録画成功率を計算する際、音声データと映像データを分けて、それぞれで判断しても良い。例えば、送受信データがパケットデータの場合、図８に示すように、音声のパケットデータと映像のパケットデータとで分かれている。音声か映像かの識別はパケットデータに含まれている識別データ（音１、音２、画１、画２）によって行う。制御部４は、音声・映像のそれぞれの録画時の処理すべきデータと実際に処理したデータを判別することができる。従って、制御部４は、音声と映像それぞれの録画成功率を判別することができる。
【００６８】
図８の例の場合、制御部４は、画２のデータを受信できていない。従って、音声のデータは２パケットのうち２パケットを受信できて１００％の録画成功率だが、画像のパケットは２つのうち１パケットしか受信できておらず、５０％の録画成功率である。
【００６９】
制御部４は、このような判別に基づいて、録画成功率を報知する。報知の態様は任意であるが、例えば、ｉ）画像データと音声データとで別々に録画成功率を求めて報知する、ii）画像データの録画成功率と音声データの録画成功率とを一定の重み付けで平均化して、全体の録画成功率を求め、報知する等の手法がある。従って、例えば、音声が録画処理できていれば、映像でデータ欠落があっても録画成功率を下げないなどの処理が可能となり、より細かい録画成功率の検出が可能である。
【００７０】
音声・画像のデータ以外の文字や付加データでも、パケットデータに含まれている識別データを判断することで、上記の処理が可能であり、さらに細かい録画成功率の検出が可能である。音声データが記録できていれば、映像でデータの欠落があっても録画成功率に反映させないなどの基準は、予め設定してあっても良いし、録画成功率通知の一定期間設定をユーザー設定で行ったように、例えば、設定画面に、「録画成功率は、音声で決める？画像で決める？」等の問い合わせメッセージを表示し、ユーザーがこの問い合わせに操作部２を操作して答えると、制御部４は、この操作内容に応じた設定を行う。
【００７１】
このように、設定をユーザー設定で行う場合は、ユーザーの好みに即した設定や表示が可能であり、例えば、音声のパケットデータを受信できずに失敗しても、録画成功とみなすといった設定も可能となる。
【００７２】
その他、地上波デジタル放送の送信パケットデータには時刻情報が含まれているので、データが抜けた場合はこの情報も抜けることになり、録画開始からこの時刻情報の取得の成否より、録画成功率を算出することができる。以上のように様々な方法で録画成功率や録画状態を検出してユーザーに通知することが可能である。
【００７３】
（実施形態３）
次に、図４のステップＳ１０７〜Ｓ１０９で説明した録画状態の表示方法について、より詳細に説明する。
【００７４】
図４のステップＳ１０７の録画成功率を表示する間隔はあらかじめ決めてあっても良いし、ユーザーの設定で一定時間ごとに表示しても良い。通知画像を、例えば携帯電話（携帯端末１００）の壁紙として設定すれば、ユーザーは携帯端末１００を開いてメイン表示部５１を見たり、閉じた状態でサブ表示部５２を見たりしていつでも確認することができる。制御部４はユーザー設定部４４に設定された一定時間ごとに、この録画状態が示された壁紙を更新すればよい。
【００７５】
このような表示形態を採用する場合、携帯端末の操作部２を操作して、録画を開始すると、制御部４は録画処理部４３で録画データをメモリ部６に保存する処理を行い、録画状態検出部４１１において録画成功率を検出し始める。受信しているデータを制御部４は録画するとともに、一定時間毎に得られたデータから映像データを基に静止画作成部４１２で表示部５に表示させる画像を作成し、前述の番組情報や録画成功率などの録画状態と合成して表示する。
【００７６】
また、表示画像を壁紙とする場合には、合成表示する番組情報や録画成功率などの録画状態も一緒に静止画として静止画作成部４１２でステップS１０９等で作成し、ステップS１１０で表示すればよい。
【００７７】
以上説明した録画状態の表示・報知を、携帯端末１００の状態により、表示場所や方法を変えるように制御することで、ユーザーに適切に通知することが可能となる。例えば、図２の携帯端末１００が開いた状態では、メイン表示部５１に、折りたたんだ状態ではサブ表示部５２に録画成功率を表示することで、ユーザーに適切に通知することが可能である。
このような表示方法を図９及び図１０を参照して具体的説明する。
【００７８】
この場合、図９に示すように、制御処理部４に、端末状態検出部４５を設ける。端末状態検出部４５は、携帯端末１００の折りたたみの状態（開閉）や携帯端末１００が実行中の処理等の携帯端末１００の状態を検出する。
【００７９】
ここでは、制御部４は、例えば、図４のステップＳ１０８を終了した後、図１０（ａ）又は図１０（ｂ）を開始する。
【００８０】
まず、図１０（ａ）の処理を検討する。
この例では、表示画像の生成を開始すると（ステップＳ２０１）、まず制御部４は静止画作成部４１２や録画状態検出部４１１等でメイン表示部５１用の画像とサブ表示部５２用の画像の両方を用意する（ステップＳ２０２）。メイン表示部５１とサブ表示部５２とでは、画面のサイズ（例えば、縦横画素数）が違うため、メイン表部５１用とサブ表示部５２用の両方の表示画像が必要である。
【００８１】
次に、制御部４はメイン表示部５１が表示可能かどうかを判断する（ステップＳ２０３）。例えば、折りたたみ式の携帯端末１００の場合は、折り畳んだ状態であれば、メイン画面５１は表示可能状態に無いと判断できる。メイン表示部５１が表示可能ではない（ステップＳ２０３；Ｎｏ）と判断すれば、サブ表示部５２の画像をサブ画面５２に表示する（ステップＳ２０６）。
【００８２】
一方、メイン表示部５１が表示可能であると判別すれば（ステップＳ２０３；Ｙｅｓ）、端末状態検出部４５でメイン表示部５１が使用中かどうかを判断する（ステップＳ２０４）。例えば、携帯端末１００が開いた状態でメール作成中や通話中などの場合には、メイン表示部５１を使用中と判断できる（ステップＳ２０４；Ｎｏ）。メイン表示部５１を使用中の場合（ステップＳ２０４；Ｙｅｓ）、サブ表示部５２用の画像をサブ表示部５２に表示する（ステップＳ２０６）。一方、メイン表示部５１が使用中でなければ（ステップＳ２０４；Ｎｏ）、メイン表示部５１用の画像をメイン表示部５１に表示する（ステップＳ２０５）。
【００８３】
図１０（ａ）の処理手順ではサブ／メインの画像をあらかじめ両方用意したが、図１０（ｂ）に示すように、メイン表示部５１に表示するか、サブ表示部５２に表示するかを先に判断し（ステップＳ３０２、Ｓ３０３）、それからメイン表示部５１用の画像又はサブ表示部５２用の画像を用意し（ステップＳ３０４、Ｓ３０６）、続いて、メイン表示部５１又はサブ表示部５２に表示を行う（ステップＳ３０５、Ｓ３０７）、ように構成することも可能である。
なお、ステップＳ２０５、Ｓ２０６、Ｓ３０５、Ｓ３０７の実行後は、例えば、図４のステップＳ１０４にリターンし、上述の動作を繰り返せばよい。また、例えば、端末状態検出部４５が携帯端末１００の状態の変化を検出した場合には、図１０（ａ）、（ｂ）に示す処理を再起動し、表示を携帯端末１００の最新の状態に対応させることが望ましい。
【００８４】
図１０（ａ）の処理手順で行う場合は、メイン／サブ表示部５１、５２用の画像を予め用意するので、例えば折り畳み式の携帯端末１００を閉じてサブ画面５２に報知画面を表示している途中で携帯端末１００を開いたような場合でも、メイン画面５１にも画像を容易に表示することができる。
また、図１０（ｂ）の処理手順で行う場合は、表示対象の表示部がメイン表示部５１であるかサブ表示部５２であるかを判断してから画像を用意する。従って、メイン表示部５１用とサブ表示部５２用の両方の画像を用意する必要がなく、処理の手間が省け、消費電力を削減できる。メイン表示部５１とサブ表示部５２の両方の表示部が使用できない場合には、例えば、ランプ５３を使用して、色と点滅を制御することで録画状態をユーザーに通知することもできる。
【００８５】
以上のようにして、端末の状態により、録画成功率や録画番組情報などの録画状態をユーザーに通知することができる。
【００８６】
（実施形態４）
上述の各実施形態では、録画中に記録成功率等を報知・表示したが、記録時だけでなく、録画したデータを再生する際にも、録画データの録画状態をユーザーに通知することができる。
【００８７】
再生時に録画状態を報知する際の動作について、図１１、図１２及び図１３を参照して説明する。なお、携帯端末１００の構成及び動作は、実施形態１〜３のいずれでもよい。
まず、前述のように、制御部４は録画をする際に録画状態検出部４１１において録画成功率や録画データの欠落を把握しており、この情報を元に図１１のように録画データのファイルと関連付けて、録画成功率やデータ欠落情報をメモリ部６に記憶させておく。この例では、あるデータ量の録画データ毎に、録画成功率を付加的に記録しておく。
【００８８】
次に、この録画データを再生させる際には、メモリ部６から録画データを制御部４のデータ処理部４１に読み出す。
データ処理部４１は、読み出された録画データから、前述の関連付けられた録画成功率やデータ欠落情報を、録画データの時間情報とともに取得し、図１２（ａ）、（ｉｉ）、（ｉ）に示すように録画状態を時間的にバー表示することができる。このように表示することで、ユーザーは録画データの時間的にどのあたりに録画状態が悪い部分が存在するのかを一目で把握することができる。また、再生時に図１２（ｉｉ）に示す白抜き矢印のように、再生箇所を同時に表示することで、再生している部分の録画状態が一目で判断できる。
【００８９】
例えば、図１２（ａ）及び（ｉｉ）の例では、白抜き矢印で示されている現在再生部分は赤色の画像データであり、録画成功率５０％以下であることが分かり、ユーザーは録画状態が悪いという原因が認識できる。従って、再生表示がこの部分で急に悪くなったりしても、びっくりすることがない。このようにして、再生時においても、ファイルの録画状態表示や再生と同時の録画状態表示を行うことで、ユーザーに録画状態を知らせる親切な表示を行うことが可能である。
【００９０】
さらに、その他の表示方法も考えられる。例えば、図１３の表示例のように、再生するファイルの各時間（例えば、３〜５分毎）のサムネイルを表示する場合にも適用することが可能である。各サムネイルの画像にそれぞれの対応する録画成功率を数値で表示したり、サムネイル画像の表示を処理して録画状態が悪い場合は赤色成分のみの表示にする等の表示処理を行うことで、各サムネイル付近の録画状態をユーザーに知らせることができる。ユーザーはサムネイルを一目見るだけでどのあたりが録画状態が悪いか判断でき、再生開始指定をサムネイルを使用して行う場合、録画状態の悪いサムネイルを避けて再生することができる。
【００９１】
このようにしてユーザーにとって使い勝手の良い録画ファイルの録画状態通知やサムネイル表示をおこなうことができる。
【００９２】
（実施形態５）
また、次のように制御を行えば、録画状態の悪い部分を飛ばして再生することも可能であり、ユーザーにとって使い勝手が良い録画再生方法となる。この再生方法を、図１２と図１４を参照しつつ説明する。まず前述のように、制御部４は、録画データと関連付けて録画成功率やデータ欠落情報をメモリ部６に記憶させておき、この情報を再生時に読み出すことにより、再生時に再生箇所の録画状態を把握することができる。
【００９３】
再生が指示されると、制御部４は、再生位置を設定する（ステップＳ４０１）。続いて、再生が終了したか否かを判別する（ステップＳ４０２）。再生が終了していなければ（ステップＳ４０２；Ｎｏ）、現在の再生位置での録画成功率を判別する（ステップＳ４０３）。録画成功率が、基準レベル以上であれば、再生位置の録画データを読み出して、再生する（ステップＳ４０５）。続いて、再生位置を更新して（ステップＳ４０６）、ステップＳ４０２に戻る。
一方、ステップＳ４０３で、録画成功率が、基準レベル未満であると判別されれば、再生位置を、現在の再生位置より後で且つ録画成功率が基準レベル以上である時間領域の先頭の位置に移動し（ステップＳ４０４）、ステップＳ４０５に進む。
【００９４】
このような構成とすれば、再生時にこの録画状態データを読み出し、録画成功率が基準値（例えば８０％）未満の場合は、その部分の再生をあきらめて飛ばし、次の再生箇所を再生するような処理を行うことができる。
【００９５】
一例として、図１２の進捗バーで説明すると、再生ポイントがＡからＢの部分は録画成功率が８０％未満であり、再生ポイントがＡにきた場合に再生ポイントをＢのところまで飛ばすように再生処理を制御する。このようにして、ユーザーに録画状態の悪い部分を見せることなく、イライラさせない再生表示が可能である。
【００９６】
再生時に録画状態が悪い場合に飛ばす判断は、例えば、予めＸ％以下の録画成功率の部分は飛ばすと決めてあっても良いし、ユーザーの設定で決めても良い。ユーザーの設定で決める場合は、図１２の設定の画面のようにユーザーは操作部２を操作して、再生時の再生部分を飛ばす条件を制御部４に入力して記憶させておけば良い。また、前述のように音声や画像の録画成功率も判断にいれることができる。例えば、画像の録画成功率が悪くても、音声の録画成功率がよければ飛ばさないなどの細かい制御が可能である。
【００９７】
以上説明したように、本発明の実施の形態によれば、ユーザーにとって使い勝手の良い、録画状態通知方法およびそれを用いた携帯端末を提供することが可能となる。
【００９８】
なお、この発明は上記実施の形態に限定されず、種々の変形及び応用が可能である。例えば、端末装置の回路構成や外観構成は発明の目的を達成できる範囲内で任意に変更可能である。例えば、形態端末は折り畳型に限定されず、例えば、スライド可能型、回転型等でもよい。或いは、可動部を備えないタイプでもよい。また、フローチャート等を参照して説明した処理手順も適宜変更可能である。例えば、録画成功率の判定手法や、表示手順、録画手順、再生手順は任意である。また、表示画像や表示形態は例示であり、適宜変更可能である。
【００９９】
また、この発明の携帯端末は、専用機に限定されず、コンピュータを上述の携帯端末として動作させるプログラムを記録媒体などに格納して配布し、これをコンピュータにインストールすることにより、上述の構成と機能を備える装置を実現し、さらに、上述の各手順を実行させるようにしてもよい。
【産業上の利用可能性】
【０１００】
本発明は、地上波デジタル放送の番組を受信録画したり再生したりすることが可能な携帯電話やＰＤＡなどの携帯端末のソフトウェアやアプリケーションなどに利用できる可能性がある。
【図面の簡単な説明】
【０１０１】
【図１】本発明の実施形態１に係る携帯端末の構成図である。
【図２】実施形態１に係る携帯端末の外観図である。
【図３】実施形態１におけるシステムの概要を示した図である。
【図４】実施形態１における録画状態通知処理手順を示したフローチャート図である。
【図５】実施形態１におけるデータの送受信処理及び録画成功率の検出処理を説明する図である。
【図６】実施形態１における録画成功率の検出処理の他の例を説明する図である。
【図７】実施形態２に係る携帯端末の構成図である。
【図８】画像データ／音声のデータの送受信処理及び録画成功率の検出処理を説明する図である。
【図９】実施形態３に係る携帯端末の構成図である。
【図１０】実施形態３における表示処理手順を示したフローチャート図である。
【図１１】実施形態４における録画データの構成例の図である。
【図１２】実施形態４、５における再生及び表示処理を説明する図である。
【図１３】実施形態４におけるサムネイル表示時の録画状態通知方法を説明する図である。
【図１４】実施形態５における再生動作の例を説明するフローチャートである。
【符号の説明】
【０１０２】
１    アンテナ
２    操作部
３    受信部
４    制御部
５    表示部
６    メモリ部
４１    データ処理部
４２    出力処理部
４３    録画処理部
４４    ユーザー設定部
４５    端末状態検出部
５１    メイン画面
５２    サブ画面
５３    ランプ
１００    携帯端末
４１１    録画状態検出部
４１２    静止画作成部
【図１】
0004403419.tif 000002
【図２】
0004403419.tif 000003
【図４】
0004403419.tif 000004
【図５】
0004403419.tif 000005
【図６】
0004403419.tif 000006
【図７】
0004403419.tif 000007
【図８】
0004403419.tif 000008
【図９】
0004403419.tif 000009
【図１０】
0004403419.tif 000010
【図１１】
0004403419.tif 000011
【図１３】
0004403419.tif 000012
【図１４】
0004403419.tif 000013
【図３】
0004403419.tif 000014
【図１２】
0004403419.tif 000015